(57)【要約】      （修正有）【課題】  おむつ装着時におけるサイドフラップが破れを防止し、ファスニングテープがサイドフラップから外れることのない使い捨ておむつを提供する。【解決手段】  後身頃の長手方向両側縁部は前記股下部両側縁より外側に延出している２枚のシートによって形成されているサイドフラップ部を形成し、該サイドフラップ部の両側縁には、一方の端部側部分が該サイドフラップを形成している２枚のシート間に挟持固定され、他方の端部側部分が該サイドフラップ両側縁からさらに外方に延出しているファスニングテープが配置されている使い捨ておむつにおいて、  前記サイドフラップを形成する２枚のシート間の接着領域のうち、少なくとも前記ファスニングテープの一方の端部側部分を挟持固定している接着領域が、テンシロン引張り試験機による２００ｍｍ／分の速度での１８０°剥離試験の測定値が４〜６０Ｎ／２５ｍｍの強接着領域であることを特徴とする使い捨ておむつ。【選択図】  図１
2006255392.tif 000002
【特許請求の範囲】
【請求項１】
前身頃と、後身頃と、これら前後身頃の間に位置する股下部とからなり、液透過性のトップシートと、液不透過性のバックシートと、これら両シートの間に配置された吸収体とを有し、後身頃の長手方向両側縁部は前記股下部両側縁より外側に延出している２枚のシートによって形成されているサイドフラップ部を形成し、該サイドフラップ部の両側縁には、一方の端部側部分が該サイドフラップを形成している２枚のシート間に挟持固定され、他方の端部側部分が該サイドフラップ両側縁からさらに外方に延出しているファスニングテープが配置されており、前身頃には前記サイドフラップ両側縁からさらに外方に延出しているファスニングテープの他方の端部側部分と着脱可能な部材からなるターゲットゾーンが配置されている使い捨ておむつにおいて、
前記サイドフラップを形成する２枚のシート間の接着領域のうち、少なくとも前記ファスニングテープの一方の端部側部分を挟持固定している接着領域が、テンシロン引張り試験機による２００ｍｍ／分の速度での１８０°剥離試験の測定値が４〜６０Ｎ／２５ｍｍの強接着領域であることを特徴とする使い捨ておむつ。
【請求項２】
前記強接着領域は、少なくとも前記ファスニングテープの一方の端部側部分を挟持している前記２枚のシートと該２枚のシート間に挟持されている前記ファスニングテープの一方の端部側部分からなる３層が積層されている領域全体の少なくとも３分の１の領域を包含して形成されていることを特徴とする請求項１記載の使い捨ておむつ。
【請求項３】
前記強接着領域は、前記２枚のシートとファスニングテープの一方の端部側部分からなる３層が積層接着されている領域と、該３層が積層接着されている領域の周辺の前記２枚のシート間の接着領域を包含して形成されていることを特徴とする請求項１又は２に記載の使い捨ておむつ。
【請求項４】
前記強接着領域は、前記ファスニングテープの一方の端部側部分の幅寸法と少なくとも同じ幅寸法で形成されていることを特徴とする請求項１〜３のいずれか１項に記載の使いすておむつ。
【請求項５】
前記強接着領域は、前記２枚のシートに挟持されているファスニングテープの一方の端部側部分の先端からさらにおむつ内側方向に１０ｍｍ以上の長さとなる前記２枚のシート間の接着領域を包含して形成されていることを特徴とする請求項１〜４のいずれか１項に記載の使い捨ておむつ。
【請求項６】
前記強接着領域は、前記２枚のシートに挟持されているファスニングテープの一方の端部側部分の前記サイドフラップの長手方向両側縁近傍まで形成されていることを特徴とする請求項１〜５のいずれか１項に記載の使い捨ておむつ。
【請求項７】
前記強接着領域は、少なくとも前記後身頃のサイドフラップにおいて、前記２枚のシートに挟持されているファスニングテープの一方の端部側部分を包含しておむつの長手方向全長にわたって形成されていることを特徴とする請求項１〜６のいずれか１項に記載の使い捨ておむつ。
【請求項８】
前記強接着領域は、接着剤を塗布して形成されている領域であることを特徴とする請求項１〜７のいずれか１項に記載の使い捨ておむつ。
【請求項９】
前記強接着領域は、ホットメルト接着剤により接着されている領域であることを特徴とする請求項１〜８のいずれか１項に記載の使い捨ておむつ。
【請求項１０】
前記強接着領域と他の接着領域とは異なる接着剤により形成されていることを特徴とする請求項１〜９のいずれか１項に記載の使い捨ておむつ。
【請求項１１】
前記強接着領域は、少なくとも強接着部分が１０ｍｍ以下の間隔となるように強接着部分を間欠的に配置して形成されていることを特徴とする請求項１〜１０のいずれか１項に記載の使い捨ておむつ。
【発明の詳細な説明】
【技術分野】
【０００１】
本発明は、ファスニングテープを有する使い捨ておむつに関するものであり、さらに詳しくは、本発明は、使用中にサイドフラップから外れることのないファスニングテープを有する使い捨ておむつに関するものである。
【背景技術】
【０００２】
使い捨ておむつは、液透過性のトップシートと、液不透過性のバックシートと、これら両シートの間に配置された吸収体から基本的に形成されており、着用時に排泄された尿等の排泄物を液透過性のトップシートを介して吸収体に保持し、液不透過性のバックシートにより、排泄物がおむつの外に漏れ出すのを防ぐ構造になっており、その用途に応じて好適に使用できるように、展開型、パンツ型等、様々な形態のものが提案されており、乳幼児を始めとして成人失禁者まで広く使用されている。
【０００３】
展開型の使い捨ておむつは、一般に、後身頃の左右のサイドフラップの両側縁部にファスニングテープを配置し、前身頃のバックシート表面にファスニングテープを着脱可能に係合するためのフロントテープからなるターゲットゾーンを配置し、ファスニングテープをフロントテープに接合することにより、おむつを着用者に装着するようになっている。このような展開型の使い捨ておむつのファスニングテープは、通常、左右に１個づつ、または複数個づつ取付けられており、前者は新生児用、乳幼児用の使い捨ておむつに多く、後者は大人用の使い捨ておむつに多く見られる。
【０００４】
また、ファスニングテープとフロントテープの組合せとしては、機械的ファスナーのフック材を有するファスニングテープとフック材と係合可能なループ材を有するフロントテープを組合せたものが広く使用されており、ファスニングテープ及びフロントテープに様々の工夫が施された使い捨ておむつが開示されている（特許文献１、特許文献２、特許文献３）。
【０００５】
一般に、ファスニングテープは、その基材シートの片面又は両面に接着剤を塗布したものを、サイドフラップを形成する２枚のシート（例えばトップシートとバックシート）の間に挟持固定して取付けられ、同時に２枚のシートの間も接着剤により接着されサイドフラップが形成される。
しかしながら、身体を自由に動かすことのできない大人に介護者が展開型の使い捨ておむつを装着させるときに、使い捨ておむつの後身頃領域の位置を調整するために後身頃側のサイドフラップから延出したファスニングテープを掴んで強く引っ張ってしまうことがある。この際、２枚のシートで構成されているサイドフラップに対し、ファスニングテープを挟み込んでいる部位はファスニングテープも含めて３枚のシートで構成されているため、ファスニングテープを取り付けた部分に隣接する内側領域とシートの厚みや強度が異なり、ファスニングテープを取り付けた部分に隣接する内側領域を起点に歪みが生じやすく、サイドフラップを破いてしまうことがある。
【０００６】
このようなサイドフラップの破れを防止するために、サイドフラップを構成するサイドシートと表面シートとの間の接着強度を改善した使い捨ておむつが開示されている（特許文献４）。
【特許文献１】特開２００１−７０３４０号公報
【特許文献２】特開２００２−２５３６０８号公報
【特許文献３】特開２００４−２１５６９４号公報
【特許文献４】特開２００４−２２３０２３号公報
【発明の開示】
【発明が解決しようとする課題】
【０００７】
しかしながら、上記のサイドシートと表面シートの接着強度を強くした使い捨ておむつでも、ファスニングテープを取付けた領域に特別の対策が施されていないため、依然としておむつ装着時のサイドフラップの破れに起因するファスニングテープの外れについての改善効果は十分ではない。
本発明は、上記従来の使い捨ておむつの有する問題点を克服し、おむつの装着時におけるサイドフラップの破れを防止し、ファスニングテープがサイドフラップから外れることのない、装着性に優れた使いすておむつを提供するものである。
【課題を解決するための手段】
【０００８】
上記従来の使い捨ておむつの有する問題点を解決するための本発明は、以下の各発明を包含する。
【０００９】
（１）前身頃と、後身頃と、これら前後身頃の間に位置する股下部とからなり、液透過性のトップシートと、液不透過性のバックシートと、これら両シートの間に配置された吸収体とを有し、後身頃の長手方向両側縁部は前記股下部両側縁より外側に延出している２枚のシートによって形成されているサイドフラップ部を形成し、該サイドフラップ部の両側縁には、一方の端部側部分が該サイドフラップを形成している２枚のシート間に挟持固定され、他方の端部側部分が該サイドフラップ両側縁からさらに外方に延出しているファスニングテープが配置されており、前身頃には前記サイドフラップ両側縁からさらに外方に延出しているファスニングテープの他方の端部側部分と着脱可能な部材からなるターゲットゾーンが配置されている使い捨ておむつにおいて、
前記サイドフラップを形成する２枚のシート間の接着領域のうち、少なくとも前記ファスニングテープの一方の端部側部分を挟持固定している接着領域が、テンシロン引張り試験機による２００ｍｍ／分の速度での１８０°剥離試験の測定値が４〜６０Ｎ／２５ｍｍの強接着領域であることを特徴とする使い捨ておむつ。
【００１０】
（２）前記強接着領域は、少なくとも前記ファスニングテープの一方の端部側部分を挟持している前記２枚のシートと該２枚のシート間に挟持されている前記ファスニングテープの一方の端部側部分からなる３層が積層されている領域全体の少なくとも３分の１の領域を包含して形成されていることを特徴とする（１）項記載の使い捨ておむつ。
【００１１】
（３）前記強接着領域は、前記２枚のシートとファスニングテープの一方の端部側部分からなる３層が積層接着されている領域と、該３層が積層接着されている領域の周辺の前記２枚のシート間の接着領域を包含して形成されていることを特徴とする（１）項又は（２）項に記載の使い捨ておむつ。
【００１２】
（４）前記強接着領域は、前記ファスニングテープの一方の端部側部分の幅寸法と少なくとも同じ幅寸法で形成されていることを特徴とする（１）項〜（３）項のいずれか１項に記載の使いすておむつ。
【００１３】
（５）前記強接着領域は、前記２枚のシートに挟持されているファスニングテープの一方の端部側部分の先端からさらにおむつ内側方向に１０ｍｍ以上の長さとなる前記２枚のシート間の接着領域を包含して形成されていることを特徴とする（１）項〜（４）項のいずれか１項に記載の使い捨ておむつ。
【００１４】
（６）前記強接着領域は、前記２枚のシートに挟持されているファスニングテープの一方の端部側部分の前記サイドフラップの長手方向両側縁近傍まで形成されていることを特徴とする（１）項〜（５）項のいずれか１項に記載の使い捨ておむつ。
【００１５】
（７）前記強接着領域は、少なくとも前記後身頃のサイドフラップにおいて、前記２枚のシートに挟持されているファスニングテープの一方の端部側部分を包含しておむつの長手方向全長にわたって形成されていることを特徴とする（１）項〜（６）項のいずれか１項に記載の使い捨ておむつ。
【００１６】
（８）前記強接着領域は、接着剤を塗布して形成されている領域であることを特徴とする（１）項〜（７）項のいずれか１項に記載の使い捨ておむつ。
【００１７】
（９）前記強接着領域は、ホットメルト接着剤により接着されている領域であることを特徴とする（１）項〜（８）項のいずれか１項に記載の使い捨ておむつ。
【００１８】
（１０）前記強接着領域と他の接着領域とは異なる接着剤により形成されていることを特徴とする（１）項〜（９）項のいずれか１項に記載の使い捨ておむつ。
【００１９】
（１１）前記強接着領域は、少なくとも強接着部分が１０ｍｍ以下の間隔となるように強接着部分を間欠的に配置して形成されていることを特徴とする（１）項〜（１０）項のいずれか１項に記載の使い捨ておむつ。
【発明の効果】
【００２０】
本発明の使い捨ておむつは、サイドフラップを形成する２枚のシートの間のファスニングテープの一方の端部側の部分を配置した領域に、該２枚のシート間を接着している他の接着領域よりも接着力が強い、例えば接着剤の塗布量を多くする等の手段による強接着領域が形成されている。このような構成の本発明の使い捨ておむつは、強接着領域によりサイドフラップを形成する２枚のシートがしっかりと接着固定されると共にファスニングテープのサイドフラップ内に位置する一方の端部側の部分も２枚のシートの間にしっかりと接着固定されるため、サイドフラップの強度が向上し、おむつ装着時にサイドフラップを引っ張ってもサイドフラップが破れることがなく、さらに、ファスニングテープがサイドフラップから外れることのない、良好な装着性を有するものとなる。
【００２１】
本発明の場合、強接着領域は、サイドフラップ内に位置するファスニングテープの一方の端部側部分の先端からおむつの内側方向への長さが１０ｍｍ以上になるように後身頃のサイドフラップ部を形成している２枚のシート間を接着している領域を含んで形成することが好ましく、このように形成することによりファスニングテープがサイドフラップを構成する２枚のシートとしっかり接着固定され、ファスニングテープが使用中にサイドフラップを構成するシートから剥がれて外れることがなく、また、おむつの装着時や着用中にファスニングテープに強い引っ張り力が働いた場合も、ファスニングテープの固定端部を起点としたサイドフラップ部分の破れが生じ難く、好適に使用することができる使い捨ておむつを得ることができる。
【発明を実施するための最良の形態】
【００２２】
以下、図面を参照して、本発明の使い捨ておむつを詳細に説明するが、勿論、本発明はこれらによって何等制限されるものではない。
【００２３】
図１は、本発明の使い捨ておむつをトップシート側から見た場合の一部切り欠き展開平面図である。
図１において、使い捨ておむつ１は、液透過性のトップシート２と、液不透過性のバックシート３と、これら両シートの間に配置された吸収体４とを有し、前身頃５と、後身頃６と、前後身頃の間に位置する股下部７とからなり、後身頃６のサイドフラップ８の両側縁部にはファスニングテープ９が配置され、前身頃５のバックシート３の表面にはファスニングテープ９と着脱可能な部材からなるターゲットゾーン１０が配置されており、さらに、後身頃６のサイドフラップ８内のファスニングテープ９の一方の端部側の部分が配置されている領域からおむつ内側の領域にかけて、例えば、ホットメルトの塗布量を他の接着領域よりも多くする等の手段により強接着領域１１が形成されている。
【００２４】
このように、サイドフラップ内のファスニングテープが配置された領域に強接着領域を形成した本発明の使い捨ておむつは、サイドフラップを形成している２枚のシート同士がしっかりと接着固定されると共に、ファスニングテープの一方の端部側の部分が２枚のシートの間にしっかりと接着固定されるため、サイドフラップの強度が向上し、おむつ装着時にファスニングテープやサイドフラップを引っ張ってもサイドフラップが破れることがなく、さらに、ファスニングテープがサイドフラップから外れることのない、良好な装着性を有するものとなる。強接着剤層を形成する接着剤として、ホットメルト接着剤は、塗布後の接着剤層が可撓性に富み、おむつの装着性を損なうことがないので特に好ましい。
【００２５】
また、図１において、おむつ１の股下部７の長手方向両側縁部には脚周り弾性部材１２が配置され、後身頃６の端部領域にはウエスト周り弾性部材１３が配置され、脚周り弾性部材１２の内側には、おむつの長手方向に一対の立体ギャザー１４が配置されている。
【００２６】
本発明の場合、強接着領域１１は、サイドフラップ８に取付けられたファスニングテープ９の一方の端部側の部分が配置されている領域の少なくとも３分の１の領域を包含するように形成されていることが好ましく、さらに、外強接着領域は、サイドフラップ内に位置するファスニングテープ９の先端からおむつ内側方向に長さが１０ｍｍ以上となる領域を包含するように形成されていることが好ましい。このように強接着領域を形成することにより、より良好な上記効果を有する使い捨ておむつを得ることができる。
【００２７】
また、図１では、強接着領域１１は、ファスニングテープ９が配置されている領域及びその周辺領域のみに形成されている例を示したが、おむつの長手方向に沿ってサイドフラップ全長にわたって形成してもよい。
【００２８】
図２は、図１に示す本発明の使い捨ておむつの強接着領域が形成されたサイドフラップの状態を示すＸ−Ｘ’線による拡大断面図である。
図２において、サイドフラップ８は、吸収体４の側縁から外側へ延出するトップシート２とバックシート３により形成されており、サイドフラップ８を形成するトップシート２とバックシート３の間には、その側縁部にファスニングテープ９が配置され、ファスニングテープ９の一方の端部側部分の先端側の領域と、該一方の端部側部分の先端からおむつ内側方向の領域にかけて接着剤の塗布量が多い強接着領域１１が形成され、さらに、強接着領域１１に隣接して強接着領域１１よりも接着剤の塗布量が少なく接着力が弱い他の接着領域１５が形成されている。
【００２９】
なお、図２では、他の接着領域１５を強接着領域１１に隣接して形成した例を示したが、必ずしも隣接して形成する必要はなく、一定の間隔をおいて形成してもよい。さらに、他の接着領域１５はサイドフラップ８に形成しないで、吸収体４とトップシート２の間及び／又は吸収体４とバックシート３の間に形成してもよい。
また、強接着領域１１と他の接着領域１５は、同じ接着剤で形成してもよく、あるいは異なる接着剤で形成してもよい。また、接着領域はトップシートとバックシートとの接合方法として熱融着接合が可能であれば熱融着接合で接着されていることも可能である。
【００３０】
図２では、強接着領域１１をサイドフラップ８のみに形成した例を示したが、必要に応じてサイドフラップ８のみに限らず、トップシート２と吸収体４の間、あるいはバックシート３と吸収体の間に延在して形成してもよい。
【００３１】
図３は、本発明の使い捨ておむつをトップシート側から見た場合の一部切り欠き展開平面図であり、図１とは異なる例を示している。なお、図３において、図１と同一部分には同じ符号が付してあり、重複する部分の説明は省略する。
図３において、強接着領域１１は、おむつ１の長手方向にサイドフラップ８のほぼ全域に形成されており、後身頃６のみならず前身頃５のサイドフラップにも形成されている。このように、強接着領域１１を使い捨ておむつの長手方向全体に配置することで、使い捨ておむつの製造時に、背側部のみに強接着領域１１を配置するために位置合わせをする必要がなく、製造が容易になる。また、強接着領域１１を使い捨ておむつのサイドフラップ８の側縁近傍まで配置することで、さらにファスニングテープ９をしっかりとサイドフラップ部に接着固定することができる。なお、図面では、バックシートは使い捨ておむつ中央部分にのみ配置されており、バックシートの外側にはカバーシートが配置されて、カバーシートとサイドシートによりサイドフラップを形成しているが、図１と同様にバックシートが全幅で配置されていてもよい。
【００３２】
また、図３では、接着剤を連続的に塗布して強接着領域１１を形成した例を示したが、接着剤を間欠的に塗布して形成してもよく、このように接着剤を間欠的塗布して形成することにより、おむつ装着時にサイドフラップの強度を維持すると共にサイドフラップの通気性が維持され、蒸れを防止することができるため好ましい。この場合、接着剤非塗布部の間隔が１０ｍｍ以下となるように形成することが好ましく、非塗布部の間隔が１０ｍｍを超えて長くなるとサイドフラップの強度が低下する。
【００３３】
図４は、図３に示す本発明の使い捨ておむつの強接着領域が形成されたサイドフラップの状態を示すＸ−Ｘ’線による拡大断面図であり、図２とは異なる例を示している。
図４において、サイドフラップ８は、トップシート２の側縁部に取付けられたサイドシート１６の吸収体４の側縁から延出する部分と、バックシート３の外側面に配置されたカバーシート１７の吸収体４の側縁から延出する部分により形成されており、サイドフラップ８を形成するサイドシート１６とカバーシート１７の間には、その側縁部にファスニングテープ９が配置され、さらに、サイドフラップ８の側縁部からバックシート３の側縁近傍にかけてのサイドフラップのほぼ幅方向全域に強接着領域１１が形成されている。
【００３４】
また、図４では、サイドフラップ８をサイドシート１６とカバーシート１７で形成した例を示したが、前記図２に示すようにトップシート２とバックシート３で形成してもよく、サイドシートとバックシートで形成してもよく、あるいは、トップシートとカバーシートで形成してもよく、特に限定されるものではない。
【００３５】
本発明において、強接着領域を形成するための接着剤の塗布方法としては、スパイラル、カーテン、コントロールシム、シム、ビード等の塗布方法を単独で行なってもよく、あるいは、複数の方法を組み合せて行なってもよいが、中でも、スパイラルとカーテンによる塗布を単独で、あるいは両者を組み合わせて行うことが好ましい。
【００３６】
また、本発明では、強接着領域が形成されている部分を含むサイドフラップを形成する２枚のシートの間の剥離強度が４〜６０Ｎ／２５ｍｍであることが好ましく、剥離強度がこの範囲にあるとサイドフラップの強度が維持されると共に装着性の良好なおむつを得ることができる。剥離強度が４Ｎ／２５ｍｍ未満になると、サイドフラップの強度が弱くなり、一方、剥離強度が６０Ｎ／２５ｍｍを超えて大きくなると、サイドフラップが固くなり、装着性が悪くなる。
なお、上記の剥離強度は、図５に示すように、サイドフラップを形成する２枚のシート８’及び８’’の強接着領域１１を含む部分を２５ｍｍの幅で切取り、２枚のシート８’と８’’をそれぞれチャックに取付け、テンシロン引張り試験機により２００ｍｍ／分の速度で矢印の方向に引張って測定した１８０°剥離試験の測定値である。
【００３７】
以下、本発明において使用される材料について説明するが、本発明は、これらによって何等制限されるものではない。
【００３８】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００３９】
本発明において、液不透過性のバックシートとしては、微孔を形成したポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを張合わせた積層構造のシートを用いることもできる。
【００４０】
本発明において、吸収体としては、通常の使い捨ておむつのような吸収性物品に使用されるものであればいずれも使用することができる。すなわち、綿状パルプと高吸収性ポリマー（ＳＡＰ）を併用したもの、さらに熱融着性繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型であっても良く、あるいは矩形であっても良い。
【００４１】
本発明において、サイドフラップは、吸収体の長手方向両側縁から延出する前述のトップシートとバックシートにより形成しても良く、あるいは、トップシートの側縁部に取付けられたサイドシートの吸収体の長手方向両側縁から延出する部分と、バックシートの外側面に配置されたカバーシートの吸収体の長手方向両側縁から延出する部分とにより形成してもよく、さらに、トップシートとカバーシート、サイドシートとバックシート等により形成しても良く、特に限定されるものではない。また、サイドシート及びカバーシートとしては、ポリエチレン、ポリプロピレン、ポリエステル、その他の熱可塑性樹脂を原料とした合成繊維からなる不織布により形成することができる。
【００４２】
本発明において、強接着領域を形成するための接着剤としては、スチレン系、オレフィン系等の各種のホットメルト型接着剤が有利に使用できるが、その他にもアクリル系接着剤やゴム系接着剤を使用することができる。
【００４３】
本発明において、ファスニングテープとしては、各種のフィルムや不織布、あるいはこれらを積層した複合材料からなる基材シートと、基材シートの一方の面の端部領域に機械的ファスナーのフック材を設けて形成される。さらに、必要に応じて、基材シートのフック材を設けた面とは反対側の面にフック材と係合可能な材料からなるターゲットゾーンを設けることもできる。
また、フック材としては、係合部が鉤状、きのこ状、錨状等の各種の形状を有する、通常の使い捨ておむつに使用されているものをそのまま使用することができる。さらに、ターゲットゾーンとしては、フック材と係合可能なループ材、不織布、織布等を使用することができ、これらの材料をそのまま用いても良く、他の材料、例えばフィルムと張り合せた積層構造のものを用いても良い。また、ファスニングテープには、フック材を備えた部分の外側に、摘持部を有していることが好ましい。
【００４４】
本発明において、使い捨ておむつの前身頃に配置される、ファスニングテープを係合するためのターゲットゾーンとしては、フック材と係合可能なループ材、不織布、織布等を使用することができ、これらの材料をそのまま用いても良く、他の材料、例えばフィルムと張り合せた積層構造のものを用いても良い。
なお、バックシートとしてフィルムからなるシートの外側にフック材と係合可能な不織布からなるカバーシートを張合わせた積層構造のシートを用いた場合には、ターゲットゾーンを省略することもできる。
【００４５】
本発明において、使い捨ておむつには、その長手方向に沿って一対の立体ギャザーを配置することが好ましい。立体ギャザーは、各種の素材により形成することができる。例えば、ポリエチレン、ポリプロピレン、ポリエステル、その他の熱可塑性樹脂を原料とした合成繊維からなる通気性を有する撥水性の不織布を用いて形成することができる。あるいは、サイドフラップを形成する不織布として広幅のものを用い、サイドフラップを形成するとともにおむつの内側へ延出する部分で立体ギャザーを形成しても良い。さらに、トップシートとして広幅のものを用い、トップシートの吸収体の両側縁から延出する部分で立体ギャザーを形成しても良い。
【００４６】
また、立体ギャザーの自由部の側縁部には伸縮弾性部材が配置されている。伸縮弾性部材としては、天然系、合成系のウレタン糸、糸ゴム、平ゴム等の通常の使いすておむつに使用される伸縮弾性部材をそのまま使用することができ、これらの伸縮弾性部材を伸長状態で自由部の側縁部に配置し、ホットメルト接着剤などにより接着固定される。
【００４７】
本発明において、使い捨ておむつには、脚周り開口部、ウエスト周り開口部、あるいは折返し部に沿って伸縮弾性部材を配置することができる。伸縮弾性部材としては、天然系、合成系のウレタン糸、糸ゴム、平ゴム等の通常の使いすておむつに使用される伸縮弾性部材をそのまま使用することができ、これらの伸縮弾性部材を伸長状態で配置し、ホットメルト接着剤などにより接着固定される。
【産業上の利用可能性】
【００４８】
本発明の使い捨ておむつは、サイドフラップを形成する２枚のシートの間のファスニングテープを配置した領域に、他の接着領域よりも接着強度が強い強接着領域が形成されており、このような構成の本発明の使い捨ておむつは、強接着領域によりサイドフラップを形成する２枚のシートがしっかりと接着固定されると共にファスニングテープの端部領域が２枚のシートの間にしっかりと接着固定されるため、サイドフラップの強度が向上し、おむつ装着時にサイドフラップを引っ張ってもサイドフラップが破れることがなく、さらに、ファスニングテープがサイドフラップから外れることがなく、良好な装着性を有するものであり、乳幼児を始めとして成人失禁者用の使い捨ておむつとして有用である。
【図面の簡単な説明】
【００４９】
【図１】本発明の使い捨ておむつをトップシート側から見た場合の１例を示す一部切り欠き展開平面図である。
【図２】図１に示す本発明の使い捨ておむつをＸ−Ｘ’線に沿って切断した場合の断面図であり、強接着領域が形成されたサイドフラップの状態の１例を示す拡大断面図である。
【図３】本発明の使い捨ておむつをトップシート側から見た場合の他の例を示す一部切り欠き展開平面図である。
【図４】図３に示す本発明の使い捨ておむつをＸ−Ｘ’線に沿って切断した場合の断面図であり、強接着領域が形成されたサイドフラップの状態を示す拡大断面図である。
【図５】本発明の使い捨ておむつの強接着領域を含むサイドフラップの剥離強度の測定方法を示す説明図である。
【符号の説明】
【００５０】
１：使い捨ておむつ
２：トップシート
３：バックシート
４：吸収体
５：前身頃
６：後身頃
７：股下部
８：サイドフラップ
８’：サイドフラップを形成するシート
８’’：サイドフラップを形成するシート
９：ファスニングテープ
１０：ターゲットゾーン
１１：強接着領域
１２：脚周り弾性部材
１３：ウエスト周り弾性部材
１４：立体ギャザー
１５：他の接着領域
１６：サイドシート
１７：カバーシート
【図１】
2006255392.tif 000003
【図２】
2006255392.tif 000004
【図３】
2006255392.tif 000005
【図４】
2006255392.tif 000006
【図５】
2006255392.tif 000007